(57)【要約】【課題】水分や湿気を吸収しつつ臭気を吸収することができ、長期間衛生的に使用することができる枕（クッション材）を提供する。【解決手段】枕１０Ａ（クッション材）は、珪藻土を粒状に粉砕した吸水性及び脱臭性を有する珪藻土顆粒と珪藻土を粉状に粉砕した吸水性及び脱臭性を有する珪藻土粉末とのうちの少なくとも一方からなる第１成分１２と、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分１２と、粉砕低反発弾性ウレタンフォームとそば殻とスチロールビーズとポリエチレンチューブと綿と羽毛とのうちの少なくとも１種類からなる第３成分１３と、通気性、透湿性、透水性、柔軟性を有して第１成分１２と第２成分１２と第３成分１３とを混合した状態で収納した収納袋１１とから形成されている。【選択図】図１
2020006154.tif 000002
【特許請求の範囲】
【請求項１】
珪藻土を粒状に粉砕した吸水性及び脱臭性を有する珪藻土顆粒と前記珪藻土を粉状に粉砕した吸水性及び脱臭性を有する珪藻土粉末とのうちの少なくとも一方からなる第１成分と、脱臭性及び殺菌性を有するミョウバン粉末と殺菌性を有する酸化亜鉛粉末と殺菌性を有する酸化銀粉末と殺菌性を有する酸化チタン粉末とのうちの少なくとも前記ミョウバン粉末からなる第２成分と、粉砕低反発弾性ウレタンフォームとそば殻とスチロールビーズとポリエチレンチューブと綿と羽毛とのうちの少なくとも１種類からなる第３成分と、通気性、透湿性、透水性、柔軟性を有して所定量の前記第１成分と所定量の前記第２成分と所定量の前記第３成分とを混合した状態で収納した収納袋とから形成されたクッション材。
【請求項２】
前記第１成分と前記第２成分とが、通気性、透湿性、透水性、柔軟性を有する複数の小袋に収納された状態で前記収納袋に収納されている請求項１に記載のクッション材。
【請求項３】
前記収納袋に収納された前記第１成分と前記第２成分と前記第３成分との全収納量に対する該第１成分の収納割合が、５０％〜６５％の範囲にあり、前記収納袋に収納された前記第１成分と前記第２成分と前記第３成分との全収納量に対する該第２成分の収納割合が、１０％〜２０％の範囲にあり、前記収納袋に収納された前記第１成分と前記第２成分と前記第３成分との全収納量に対する該第３成分の収納割合が、１５％〜３０％の範囲にある請求項１に記載のクッション材。
【請求項４】
ポリオール成分およびポリイソシアネート成分を混合したポリウレタンに吸水性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状クッション小片と、合成樹脂に前記珪藻土粉末と前記ミョウバン粉末と前記酸化亜鉛粉末とを混練した合成樹脂混合物をチューブ状に成形した複数の合成樹脂チューブ小片と、前記合成樹脂に前記珪藻土粉末と前記ミョウバン粉末と前記酸化亜鉛粉末とを混練した合成樹脂混合物をビーズ状に成形した複数の合成樹脂ビーズ小片とのうちの少なくとも１種類を通気性、透湿性、透水性、柔軟性を有する収納袋に収納したクッション材。
【請求項５】
前記塊状クッション小片が、前記ポリウレタンに前記珪藻土粉末を混練して発泡させた低反発弾性ウレタンフォームと、前記ポリウレタンに前記ミョウバン粉末を混練して発泡させた低反発弾性ウレタンフォームと、前記ポリウレタンに前記酸化亜鉛粉末を混練して発泡させた低反発弾性ウレタンフォームとから形成され、前記合成樹脂チューブ小片が、前記合成樹脂に前記珪藻土粉末を混練した合成樹脂混合物と、前記合成樹脂に前記ミョウバン粉末を混練した合成樹脂混合物と、前記合成樹脂に前記酸化亜鉛粉末を混練した合成樹脂混合物とから形成され、前記合成樹脂ビーズ小片が、前記合成樹脂に前記珪藻土粉末を混練した合成樹脂混合物と、前記合成樹脂に前記ミョウバン粉末を混練した合成樹脂混合物と、前記合成樹脂に前記酸化亜鉛粉末を混練した合成樹脂混合物とから形成されている請求項４に記載のクッション材。
【請求項６】
前記クッション材では、そば殻と綿と羽毛とのうちの少なくとも１種類が前記収納袋に収納されている請求項４または請求項５に記載のクッション材。
【請求項７】
前記収納袋が、通気性、透湿性、透水性、柔軟性を有する繊維不織布から作られた不織布袋と、通気性、透湿性、透水性、柔軟性を有する和紙から作られた和紙袋とのうちの少なくとも一方である請求項１ないし請求項６いずれかに記載のクッション材。
【請求項８】
前記クッション材が、枕、フットレスト、クッション、椅子用クッション、床に敷かれるバスマット、玄関に敷かれる玄関マットのうちのいずれかとして使用される請求項１ないし請求項７いずれかに記載のクッション材。
【請求項９】
通気性および透水性を有する収納袋に、少なくとも吸湿吸水材および抗菌消臭材が収容されたクッション材であって、前記吸湿吸水材が、夫々粉末状または顆粒状に形成された珪藻土、シリカゲル、ケイ酸カルシウム、エアロゲルのうち少なくとも一つからなり、前記抗菌消臭材が、夫々粉末状または顆粒状に形成されたミョウバン、重曹、水酸化カルシウム、金属マグネシウム、酸化亜鉛、酸化銀、酸化チタン、ヨードのうち少なくとも一つからなる、ことを特徴とするクッション材。
【請求項１０】
前記収納袋に、更に緩衝材が収容されたクッション材であって、前記緩衝材が、ウレタンフォーム、そば殻、スチロールビーズ、ポリエチレンチューブ、綿、羽毛のうち少なくとも一つからなる請求項９に記載のクッション材。
【請求項１１】
前記クッション材が、枕、フットレスト、クッション、椅子用クッション、床に敷かれるバスマット、玄関に敷かれる玄関マット、洗濯機の洗濯槽に収容される洗濯機用除湿消臭体のうちのいずれかとして使用される請求項９または請求項１０に記載のクッション材。
【発明の詳細な説明】
【技術分野】
【０００１】
本発明は、クッション材に関する。
【背景技術】
【０００２】
珪藻土の粉体または粒体に粘土分を含む土をバインダとして適量添加するとともに、適度の水分を含有する砂を混合してこれを所定形状に成形し、その成形品を型内において加熱焼成時間：約５〜２０分、加熱焼成温度：約９００℃で焼成することによって砂の水分を高温ガス化して拡散させ、拡散力にて成形品を膨張させて高密度化する珪藻土製成形品の製造方法が開示されている（特許文献１参照）。前記製造方法によって製造された成型品は、水分を吸収するバスマットやコースター、玄関マットとして利用される。
【先行技術文献】
【特許文献】
【０００３】
【特許文献１】特開２００１−２２０２６４号公報
【発明の概要】
【発明が解決しようとする課題】
【０００４】
前記特許文献１に開示の製造方法によって製造された成型品は、所定の硬度に焼成された固形物であり、柔軟性がなく、所定の衝撃が加えられると、破損する場合があるとともに、感触が硬く、その肌触りが悪いという問題がある。また、成型品を作るには、珪藻土にバインダと適度の水分を含有する砂とを混合して所定形状に成形しつつ、所定の加熱焼成温度で所定時間焼成しなければならず、その製造に手間と時間とを要する。また、使用によって成型品に雑菌が付着した場合、その雑菌の繁殖を防止することやその雑菌を死滅させることはできず、雑菌が繁殖して長期間衛生的に使用することができない。
【０００５】
本発明の目的は、衝撃が加えられたとしてもその破損を防ぐことができ、良好な肌触りを有し、不快な感触を与えることがないクッション材を提供することにある。本発明の他の目的は、その製造に手間と時間とを要せず、容易に製造することができるクッション材を提供することにある。本発明の他の目的は、雑菌が繁殖することはなく、水分や湿気を吸収しつつ臭気を吸収することができ、長期間衛生的に使用することができるクッション材を提供することにある。
【課題を解決するための手段】
【０００６】
＜請求項１＞
前記課題を解決するための本発明に係る第１のクッション材は、珪藻土を粒状に粉砕した吸水性及び脱臭性を有する珪藻土顆粒と珪藻土を粉状に粉砕した吸水性及び脱臭性を有する珪藻土粉末とのうちの少なくとも一方からなる第１成分と、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分と、粉砕低反発弾性ウレタンフォームとそば殻とスチロールビーズとポリエチレンチューブと綿と羽毛とのうちの少なくとも１種類からなる第３成分と、通気性、透湿性、透水性、柔軟性を有して所定量の第１成分と所定量の第２成分と所定量の第３成分とを混合した状態で収納した収納袋とから形成されている。
【０００７】
＜請求項２＞
前記第１のクッション材の一例としては、第１成分と第２成分とが通気性、透湿性、透水性、柔軟性を有する複数の小袋に収納された状態で収納袋に収納されている。
【０００８】
＜請求項３＞
前記第１のクッション材の他の一例としては、収納袋に収納された第１成分と第２成分と第３成分との全収納量に対する第１成分の収納割合が５０％〜６５％の範囲にあり、収納袋に収納された第１成分と第２成分と第３成分との全収納量に対する第２成分の収納割合が１０％〜２０％の範囲にあり、収納袋に収納された第１成分と第２成分と第３成分との全収納量に対する第３成分の収納割合が１５％〜３０％の範囲にある。
【０００９】
＜請求項４＞
前記課題を解決するための本発明に係る第２のクッション材は、ポリオール成分およびポリイソシアネート成分を混合したポリウレタンに吸水性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状クッション小片と、合成樹脂に前記珪藻土粉末と前記ミョウバン粉末と前記酸化亜鉛粉末とを混練した合成樹脂混合物をチューブ状に成形した複数の合成樹脂チューブ小片と、前記合成樹脂に前記珪藻土粉末と前記ミョウバン粉末と前記酸化亜鉛粉末とを混練した合成樹脂混合物をビーズ状に成形した複数の合成樹脂ビーズ小片とのうちの少なくとも１種類を通気性、透湿性、透水性、柔軟性を有する収納袋に収納している。
【００１０】
＜請求項５＞
前記第２のクッション材の一例としては、塊状クッション小片が、ポリウレタンに珪藻土粉末を混練して発泡させた低反発弾性ウレタンフォームと、ポリウレタンにミョウバン粉末を混練して発泡させた低反発弾性ウレタンフォームと、ポリウレタンに酸化亜鉛粉末を混練して発泡させた低反発弾性ウレタンフォームとから形成され、合成樹脂チューブ小片が、合成樹脂に珪藻土粉末を混練した合成樹脂混合物と、合成樹脂にミョウバン粉末を混練した合成樹脂混合物と、合成樹脂に酸化亜鉛粉末を混練した合成樹脂混合物とから形成され、合成樹脂ビーズ小片が、合成樹脂に珪藻土粉末を混練した合成樹脂混合物と、合成樹脂にミョウバン粉末を混練した合成樹脂混合物と、合成樹脂に酸化亜鉛粉末を混練した合成樹脂混合物とから形成されている
【００１１】
＜請求項６＞
前記第２のクッション材の他の一例として、クッション材では、そば殻と綿と羽毛とのうちの少なくとも１種類が収納袋に収納されている。
【００１２】
＜請求項７＞
前記第１及び第２のクッション材の一例としては、収納袋が、通気性、透湿性、透水性、柔軟性を有する繊維不織布から作られた不織布袋と、通気性、透湿性、透水性、柔軟性を有する和紙から作られた和紙袋とのうちの少なくとも一方である。
【００１３】
＜請求項８＞
前記第１及び第２のクッション材の他の一例としては、クッション材が、枕、フットレスト、クッション、椅子用クッション、床に敷かれるバスマット、玄関に敷かれる玄関マットのうちのいずれかとして使用される。
【００１４】
＜請求項９＞
前記課題を解決するための本発明に係る第３のクッション材は、通気性および透水性を有する収納袋に、少なくとも吸湿吸水材および抗菌消臭材が収容されたクッション材であって、吸湿吸水材が、夫々粉末状または顆粒状に形成された珪藻土、シリカゲル、ケイ酸カルシウム、エアロゲルのうち少なくとも一つからなり、抗菌消臭材が、夫々粉末状または顆粒状に形成されたミョウバン、重曹、水酸化カルシウム、金属マグネシウム、酸化亜鉛、酸化銀、酸化チタン、ヨードのうち少なくとも一つからなる、ことを特徴とするクッション材である。
【００１５】
＜請求項１０＞
前記第３のクッション材においては、前記収納袋に、更に緩衝材が収容され、前記緩衝材が、ウレタンフォーム、そば殻、スチロールビーズ、ポリエチレンチューブ、綿、羽毛のうち少なくとも一つからなっていてもよい。
【００１６】
＜請求項１１＞
前記第３のクッション材においては、前記クッション材が、枕、フットレスト、クッション、椅子用クッション、床に敷かれるバスマット、玄関に敷かれる玄関マット、洗濯機の洗濯槽に収容される洗濯機用除湿消臭体のうちのいずれかとして使用されるものであってもよい。
【発明の効果】
【００１７】
＜請求項１＞
本発明に係る第１のクッション材によれば、それが珪藻土を粒状に粉砕した吸水性及び脱臭性を有する珪藻土顆粒と珪藻土を粉状に粉砕した吸水性及び脱臭性を有する珪藻土粉末とのうちの少なくとも一方からなる第１成分と、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分と、粉砕低反発弾性ウレタンフォームとそば殻とスチロールビーズとポリエチレンチューブと綿と羽毛とのうちの少なくとも１種類からなる第３成分と、通気性、透湿性、透水性、柔軟性を有して所定量の第１成分と所定量の第２成分と所定量の第３成分とを混合した状態で収納した収納袋とから形成されているから、柔軟性を有し、衝撃が加えられたとしても、その衝撃に対して自由に変形することができ、衝撃に対する破損を防ぐことができる。クッション材は、第１成分及び第２成分並びに第３成分を収納した収納袋が柔軟性を有するから、クッション材の感触が柔らかく、良好な肌触りを有し、使用者に不快な感触を与えることがない。クッション材は、吸水性及び脱臭性を有する珪藻土顆粒と吸水性及び脱臭性を有する珪藻土粉末とのうちの少なくとも一方からなる第１成分を含み、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分を含むから、優れた吸水性と優れた脱臭性と優れた殺菌性とを有し、水分や湿気を吸収しつつ臭気を吸収するクッション材として最適に使用することができるとともに、雑菌を死滅させることができ、雑菌が繁殖することはなく、長期間衛生的に使用することができる。クッション材は、珪藻土顆粒と珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、粉砕低反発弾性ウレタンフォームとそば殻とスチロールビーズとポリエチレンチューブと綿と羽毛とのうちの少なくとも１種類からなる第３成分とを収納袋に収納することで作ることができるから、その製造に手間と時間とを要せず、容易に製造することができる。
【００１８】
＜請求項２＞
第１のクッション材において、第１成分と第２成分とが通気性、透湿性、透水性、柔軟性を有する複数の小袋に収納された状態で収納袋に収納されているクッション材は、収納袋が何らかの原因で破損したとして、第１成分や第２成分が小袋に収納されているから、第１成分や第２成分が散乱することはなく、第１成分や第２成分の不用意な漏出を防ぐことができる。クッション材は、第１成分や第２成分が通気性、透湿性、透水性、柔軟性を有する小袋に収納されているから、優れた吸水性と優れた脱臭性と優れた殺菌性とを有し、水分や湿気を吸収しつつ臭気を吸収するクッション材として最適に使用することができ、雑菌が繁殖することはなく、長期間衛生的に使用することができる。
【００１９】
＜請求項３＞
第１のクッション材において、収納袋に収納された第１成分と第２成分と第３成分との全収納量に対する第１成分の収納割合が５０％〜６５％の範囲にあり、収納袋に収納された第１成分と第２成分と第３成分との全収納量に対する第２成分の収納割合が１０％〜２０％の範囲にあり、収納袋に収納された第１成分と第２成分と第３成分との全収納量に対する第３成分の収納割合が１５％〜３０％の範囲にあるクッション材は、前記収納割合の第１成分および第２成分が含まれることで、クッション材が優れた吸水性と優れた脱臭性と優れた殺菌性とを有し、水分や湿気を吸収しつつ臭気を吸収するクッション材として最適に使用することができるとともに、雑菌を死滅させることができ、雑菌が繁殖することはなく、長期間衛生的に使用することができる。
【００２０】
＜請求項４＞
本発明に係る第２のクッション材によれば、それがポリオール成分およびポリイソシアネート成分を混合したポリウレタンに吸水性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状クッション小片と、合成樹脂に珪藻土粉末とミョウバン粉末と酸化亜鉛粉末とを混練した合成樹脂混合物をチューブ状に成形した複数の合成樹脂チューブ小片と、合成樹脂に珪藻土粉末とミョウバン粉末と酸化亜鉛粉末とを混練した合成樹脂混合物をビーズ状に成形した複数の合成樹脂ビーズ小片とのうちの少なくとも１種類と、通気性、透湿性、透水性、柔軟性を有してそれらのうちの１種類を収納した収納袋とから形成されているから、柔軟性を有し、衝撃が加えられたとしても、その衝撃に対して自由に変形することができ、衝撃に対する破損を防ぐことができる。クッション材は、塊状クッション小片や合成樹脂チューブ小片、合成樹脂ビーズ小片のうちの少なくとも１種類を収納した収納袋が柔軟性を有するから、クッション材の感触が柔らかく、良好な肌触りを有し、使用者に不快な感触を与えることがない。クッション材は、塊状クッション小片や合成樹脂チューブ小片、合成樹脂ビーズ小片が吸水性及び脱臭性を有する珪藻土粉末と脱臭性及び殺菌性を有するミョウバン粉末と殺菌性を有する酸化亜鉛粉末とを含むから、優れた吸水性と優れた脱臭性と優れた殺菌性とを有し、水分や湿気を吸収しつつ臭気を吸収するクッション材として最適に使用することができるとともに、雑菌を死滅させることができ、雑菌が繁殖することはなく、長期間衛生的に使用することができる。クッション材は、塊状クッション小片や合成樹脂チューブ小片、合成樹脂ビーズ小片のうちの少なくとも１種類を収納袋に収納することで作ることができるから、その製造に手間と時間とを要せず、容易に製造することができる。
【００２１】
＜請求項５＞
第２のクッション材において、塊状クッション小片がポリウレタンに珪藻土粉末を混練して発泡させた低反発弾性ウレタンフォームとポリウレタンにミョウバン粉末を混練して発泡させた低反発弾性ウレタンフォームとポリウレタンに酸化亜鉛粉末を混練して発泡させた低反発弾性ウレタンフォームとから形成され、合成樹脂チューブ小片が合成樹脂に珪藻土粉末を混練した合成樹脂混合物と合成樹脂にミョウバン粉末を混練した合成樹脂混合物と合成樹脂に酸化亜鉛粉末を混練した合成樹脂混合物とから形成され、合成樹脂ビーズ小片が合成樹脂に珪藻土粉末を混練した合成樹脂混合物と合成樹脂にミョウバン粉末を混練した合成樹脂混合物と合成樹脂に酸化亜鉛粉末を混練した合成樹脂混合物とから形成されているクッション材は、塊状クッション小片や合成樹脂チューブ小片、合成樹脂ビーズ小片が吸水性及び脱臭性を有する珪藻土粉末と脱臭性及び殺菌性を有するミョウバン粉末と殺菌性を有する酸化亜鉛粉末とを含むから、優れた吸水性と優れた脱臭性と優れた殺菌性とを有し、水分や湿気を吸収しつつ臭気を吸収するクッション材として最適に使用することができるとともに、雑菌を死滅させることができ、雑菌が繁殖することはなく、長期間衛生的に使用することができる。クッション材は、塊状クッション小片や合成樹脂チューブ小片、合成樹脂ビーズ小片のうちの少なくとも１種類を収納袋に収納することで作ることができるから、その製造に手間と時間とを要せず、容易に製造することができる。
【００２２】
＜請求項６＞
第２のクッション材において、そば殻と綿と羽毛とのうちの少なくとも１種類が収納袋に収納されているクッション材は、そば殻と綿と羽毛とのうちの少なくとも１種類を収納袋に収納することで、クッション材のクッション性が向上し、使用者に不快な感触を与えることがなく、クッション材として最適に使用することができる。
【００２３】
＜請求項７＞
第１及び第２のクッション材において、収納袋が通気性、透湿性、透水性、柔軟性を有する繊維不織布から作られた不織布袋と、通気性、透湿性、透水性、柔軟性を有する和紙から作られた和紙袋とのうちの少なくとも一方であるクッション材は、不織布袋や和紙袋が柔軟性を有し、衝撃が加えられたとしても、その衝撃に対して自由に変形することができ、衝撃に対する破損を防ぐことができる。クッション材は、収納袋が不織布袋と和紙袋とのうちの少なくとも一方から作られ、収納袋が柔軟性を有するから、吸水・脱臭材の感触が柔らかく、良好な肌触りを有し、不快な感触を与えることがない。クッション材は、収納袋が通気性、透湿性、透水性、柔軟性を有し、収納袋を透過した水分や湿気を珪藻土に確実に吸収させることができ、収納袋を透過した臭い成分を珪藻土やミョウバンに確実に吸着させることができ、水分や湿気を吸収しつつ臭気を吸収するクッション材として最適に使用することができる。クッション材は、ミョウバンや酸化亜鉛、酸化銀、酸化チタンが殺菌性を有するから、雑菌を死滅させることができ、雑菌が繁殖することはなく、長期間衛生的に使用することができる。
【００２４】
＜請求項８＞
第１及び第２のクッション材において、枕、フットレスト、クッション、椅子用クッション、床に敷かれるバスマット、玄関に敷かれる玄関マットのうちのいずれかとして使用されるクッション材は、それが枕として使用される場合、睡眠中に使用者の頭部から発散された汗を枕が吸収し、使用者の頭部の臭気を枕が吸収するとともに、雑菌を死滅させることで、雑菌の繁殖を防ぐことができ、使用者が安眠することができる。クッション材は、それがフットレストとして使用される場合、フットレストの使用中に使用者の脚部から発散された汗をフットレストが吸収し、使用者の脚部の臭気をフットレストが吸収するとともに、雑菌を死滅させることで、雑菌の繁殖を防ぐことができ、脚部をリラックスさせることができる。クッション材は、それがクッションとして使用される場合、クッションの使用中に使用者から発散された汗をクッションが吸収し、使用者の臭気をクッションが吸収するとともに、雑菌を死滅させることで、雑菌の繁殖を防ぐことができ、使用者をリラックスさせることができる。クッション材は、それが椅子用クッションとして使用される場合、椅子用クッションの使用中に使用者の臀部から発散された汗を椅子用クッションが吸収し、使用者の臀部の臭気を椅子用クッションが吸収するとともに、雑菌を死滅させることで、雑菌の繁殖を防ぐことができ、使用者が快適に座ることができる。クッション材は、それが床に敷かれるバスマットとして使用される場合、使用者の体から滴り落ちた水滴や使用者の足裏に付着した水分を素早く吸収することができ、足裏のべたつき感を迅速に除去することができるとともに、バスマットに付着した雑菌を死滅させることができ、雑菌が繁殖することはなく、バスマットを長期間衛生的に使用することができる。クッション材は、それが玄関に敷かれる玄関マットとして使用された場合、使用者の足裏の水分を素早く吸収することができ、足裏のべたつき感を迅速に除去することができるとともに、玄関マットに付着した雑菌を死滅させることができ、雑菌が繁殖することはなく、玄関マットを長期間衛生的に使用することができる。
【００２５】
＜請求項９＞
本発明に係る第３のクッション材によれば、通気性および透水性を有する収納袋に粉末状または顆粒状の吸湿吸水材および抗菌消臭材が収容されているので、優れた吸水性と優れた脱臭性と優れた殺菌性とを有し、水分や湿気を吸収しつつ臭気を吸収するクッション材として最適に使用することができるとともに、雑菌を死滅させることができ、雑菌が繁殖することはなく、長期間衛生的に使用することができる。また、柔軟性を有し、衝撃が加えられたとしても、その衝撃に対して自由に変形することができ、衝撃に対する破損を防ぐことができる。
【００２６】
＜請求項１０＞
第３のクッション材において、収納袋に、更に緩衝材を収容し、緩衝材に、ウレタンフォーム、そば殻、スチロールビーズ、ポリエチレンチューブ、綿、羽毛のうち少なくとも一つを用いることで、クッション材のクッション性が向上し、使用者に不快な感触を与えることがなく、クッション材として最適に使用することができる。また、緩衝材は、クッションとしての緩衝機能の他、収納袋の内部において、吸湿吸水材および抗菌消臭材の反応面積を稼いで吸湿吸水性能および抗菌消臭性能を向上させる機能も発揮する。すなわち、収納袋に、吸湿吸水材および抗菌消臭材に加えて緩衝材を追加することで、各緩衝材の表面に吸湿吸水材および抗菌消臭材が付着すると共に、各緩衝材同士の間に吸湿吸水材および抗菌消臭材が分布することになるため、緩衝材が無く吸湿吸水材および抗菌消臭材が寄せ固まった状態と比べると吸湿吸水材および抗菌消臭材の反応面積が拡大し、吸湿吸水性能および抗菌消臭性能が向上する。
【００２７】
＜請求項１１＞
第３のクッション材は、枕、フットレスト、クッション、椅子用クッション、床に敷かれるバスマット、玄関に敷かれる玄関マット、洗濯機の洗濯槽に収容される洗濯機用除湿消臭体のうちのいずれかとして使用される。クッション材は、それが枕として使用される場合、睡眠中に使用者の頭部から発散された汗を枕が吸収し、使用者の頭部の臭気を枕が吸収するとともに、雑菌を死滅させることで、雑菌の繁殖を防ぐことができ、使用者が安眠することができる。クッション材は、それがフットレストとして使用される場合、フットレストの使用中に使用者の脚部から発散された汗をフットレストが吸収し、使用者の脚部の臭気をフットレストが吸収するとともに、雑菌を死滅させることで、雑菌の繁殖を防ぐことができ、脚部をリラックスさせることができる。クッション材は、それがクッションとして使用される場合、クッションの使用中に使用者から発散された汗をクッションが吸収し、使用者の臭気をクッションが吸収するとともに、雑菌を死滅させることで、雑菌の繁殖を防ぐことができ、使用者をリラックスさせることができる。クッション材は、それが椅子用クッションとして使用される場合、椅子用クッションの使用中に使用者の臀部から発散された汗を椅子用クッションが吸収し、使用者の臀部の臭気を椅子用クッションが吸収するとともに、雑菌を死滅させることで、雑菌の繁殖を防ぐことができ、使用者が快適に座ることができる。クッション材は、それが床に敷かれるバスマットとして使用される場合、使用者の体から滴り落ちた水滴や使用者の足裏に付着した水分を素早く吸収することができ、足裏のべたつき感を迅速に除去することができるとともに、バスマットに付着した雑菌を死滅させることができ、雑菌が繁殖することはなく、バスマットを長期間衛生的に使用することができる。クッション材は、それが玄関に敷かれる玄関マットとして使用された場合、使用者の足裏の水分を素早く吸収することができ、足裏のべたつき感を迅速に除去することができるとともに、玄関マットに付着した雑菌を死滅させることができ、雑菌が繁殖することはなく、玄関マットを長期間衛生的に使用することができる。クッション材は、それが洗濯機の洗濯槽に収容される洗濯機用除湿消臭体として使用された場合、洗濯槽の除湿および消臭を図ることができる。
【図面の簡単な説明】
【００２８】
【図１】一例として示す枕の部分破断斜視図。
【図２】図１のＡ−Ａ線矢視断面図。
【図３】他の一例として示す枕の図２と同様の断面図。
【図４】他の一例として示す枕の図２と同様の断面図。
【図５】他の一例として示す枕の図２と同様の断面図。
【図６】一例として示すフットレストの部分破断斜視図。
【図７】一例として示すクッションの部分破断斜視図。
【図８】一例として示す椅子用クッションの部分破断斜視図。
【図９】一例として示すバスマットの部分破断斜視図。
【図１０】一例として示す玄関マット２６の部分破断斜視図。
【図１１】他の一例として示す枕の部分破断斜視図。
【図１２】他の一例として示す枕の部分破断斜視図。
【図１３】他の一例として示す枕の部分破断斜視図。
【発明を実施するための形態】
【００２９】
一例として示す枕１０Ａの部分破断斜視図である図１等の添付の図面を参照し、本発明に係るクッション材の詳細を説明すると、以下のとおりである。なお、図２は、図１のＡ−Ａ線矢視断面図であり、図３は、他の一例として示す枕１０Ｂの図２と同様の断面図である。図４は、他の一例として示す枕１０Ｃの図２と同様の断面図であり、図５は、他の一例として示す枕１０Ｄの図２と同様の断面図である。
【００３０】
一例として示す枕１０Ａ〜１０Ｄ（クッション材）は、その形状が一方向へ長い直方体に成形されている。枕１０Ａ〜１０Ｄは、収納袋１１と、その収納袋１１の内部に収納された第１成分１２及び第２成分１３並びに第３成分１４とから形成されている。枕１０Ａ〜１０Ｄ（クッション材）では、所定量の第１成分１２と所定量の第２成分１３と所定量の第３成分１４とを均一に満遍なく混合した混合物が収納袋１１に収納されている。枕１０Ａ〜１０Ｄでは、収納袋１１の一方の表面全体及び他方の表面全体（外表面全体）が織物または編み物製の布袋１５（収納袋１１をその内部に収容した布袋１５）に包被されている（覆われている）。
【００３１】
布袋１５は、一方の側部と両端部とが縫製によって接合されている。布袋１５の他方の側部には、スライダー１６を備えた線ファスナー１７が取り付けられている。枕１０Ａ〜１０Ｄでは、収納袋１１が布袋１５の内部に挿脱可能に収容されている。なお、枕１０Ａ〜１０Ｄの形状に特に限定はなく、形状を円柱状や角柱状、星形等のあらゆる形状にすることができる。また、枕１０Ａ〜１０Ｄの大きさや厚みについても特に制限はない。さらに、線ファスナー１７の他に、フックとループとを備えたメカニカルファスナを布袋の他方の側部に取り付け、メカニカルファスナを利用して布袋１５の他方の側部を開閉することもできる。
【００３２】
収納袋１１には、通気性、透湿性、透水性、柔軟性を有する繊維不織布から作られた不織布袋、または、通気性、透湿性、透水性、柔軟性を有する和紙から作られた和紙袋が使用される。したがって、収納袋１１は、適度な通気性、適度な透湿性、適度な透水性、適度な柔軟性を有する。なお、収納袋１１が通気性、透湿性、透水性、柔軟性を有する繊維不織布から作られた不織布袋と、通気性、透湿性、透水性、柔軟性を有して不織布袋の一方の表面全体と他方の表面全体とを包被する和紙から作られた和紙袋との複合袋であってもよく、収納袋１１が通気性、透湿性、透水性、柔軟性を有する和紙から作られた和紙袋と、通気性、透湿性、透水性、柔軟性を有して和紙袋の一方の表面全体と他方の表面全体とを包被する繊維不織布から作られた不織布袋との複合袋であってもよい。
【００３３】
不織布袋を作る通気性、透湿性、透水性を有する繊維不織布には、スパンレース法によって作られたスパンレース不織布やメルトブローン法によって作られたメルトブローン不織布、ＳＭＳ法によって作られたＳＭＳ不織布、フラッシュスパン法によって作られたフラッシュスパン不織布を使用することができる。また、スパンレース不織布やメルトブローン不織布、ＳＭＳ不織布、フラッシュスパン不織布のうちの少なくとも２種類の不織布を少なくとも２層以上に積層した複合不織布を使用することもできる。
【００３４】
繊維不織布には、既述のそれらの他に、サーマルボンド法によって作られたサーマルボンド不織布、ケミカルボンド法によって作られたケミカルボンド不織布、ニードルパンチ法によって作られたニードルパンチ不織布、ステッチボンド法によって作られたステッチボンド不織布を使用することもできる。それら繊維不織布には、ナイロンやポリエステル、ポリプロピレン、キュプラ等を材料とした長繊維から作られ、低発塵であることが好ましい。なお、それら繊維不織布がナイロンやポリエステル、ポリプロピレン、キュプラ等を材料とした短繊維から作られていてもよい。
【００３５】
不織布袋は、その平面形状が矩形に成形され、重なり合う繊維不織布どうしがその両端縁部及び両側縁部（周縁部）に延びる溶着線によって接合されている。それら溶着線では、ヒートシールやソニックシール等の熱溶着手段によって繊維不織布どうしが溶着している。なお、繊維不織布どうしが縫製によって接合されていてもよい。和紙袋を作る和紙には、通気性、透湿性、透水性、柔軟性を有するものであればその種類に制限はない。和紙は、その平面形状が矩形に成形され、重なり合う和紙どうしがその両端縁部及び両側縁部（周縁部）に延びる接着線に塗布された接着剤（図示せず）によって接着されている。なお、和紙どうしが縫製によって接合されていてもよい。枕１０Ａ〜１０Ｄでは、収納袋１１に収納された第１成分１２及び第２成分１３並びに第３成分１４によってその厚みが増加し、厚み方向へ膨隆している。
【００３６】
第１成分１２の一例は、珪藻土を粉状に粉砕した吸水性（吸放湿性）及び脱臭性を有する珪藻土粉末である。第１成分１２の他の一例は、珪藻土を粒状に粉砕した吸水性（吸放湿性）及び脱臭性を有する珪藻土顆粒である。第１成分１２の他の一例は、珪藻土を粒状に粉砕した吸水性（吸放湿性）及び脱臭性を有する珪藻土顆粒と珪藻土を粉状に粉砕した吸水性（吸放湿性）及び脱臭性を有する珪藻土粉末との混合物である。
【００３７】
第２成分１３の一例は、粉状に粉砕されたミョウバン粉末である。第２成分１３の他の一例は、粉状に粉砕されたミョウバン粉末に、粉状に粉砕された酸化亜鉛粉末と粉状に粉砕された酸化銀粉末と粉状に粉砕された酸化チタン粉末とのうちの少なくとも１種類を混合し、ミョウバン粉末と他の粉末とが均一に混合された混合物である。第２成分１３は、ミョウバン粉末は必須であるが、その他の成分の組み合わせは任意である。ミョウバンは、優れた脱臭性を有し、優れた抗菌性や殺菌性、防菌性を有するとともに、タンパク質を引き締める収れん作用や汗を抑える制汗作用を有する。酸化亜鉛や酸化銀、酸化チタンは、優れた抗菌性や殺菌性、防菌性を有する。
【００３８】
第３成分１４は、粉砕低反発弾性ウレタンフォームとそば殻とスチロールビーズとポリエチレンチューブと綿と羽毛とのうちの少なくとも１種類である。したがって、第３成分１４は、それらのうちの複数種類が混合された混合物であってもよい。粉砕低反発弾性ウレタンフォームは、ポリオール成分およびポリイソシアネート成分を混合したポリウレタンを発泡させた複数の塊状クッション小片１８である。スチロールビーズは、プラスチックから作られたビーズ状の複数の合成樹脂ビーズ小片１９（小玉）である。ポリエチレンチューブは、プラスチックから作られたチューブ状の複数のチューブ小片２０である。なお、塊状クッション小片１８や合成樹脂ビーズ小片１９（小玉）、チューブ小片２０の大きさに特に制限はなく、その大きさを自由に決めることができる。また、大きさの異なる塊状クッション小片１８や合成樹脂ビーズ小片１９（小玉）、チューブ小片２０を使用することもできる。綿は、木綿やポリエステルから作られている。羽毛は、フェザーやダウンが使用されている。
【００３９】
収納袋１１の内部には、所定量の珪藻土粉末が収納されるとともに所定量のミョウバン粉末及び第３成分１４が収容される場合、所定量の珪藻土顆粒が収納されるとともに所定量のミョウバン粉末及び第３成分１４が収容される場合、珪藻土顆粒と珪藻土粉末とを混合した所定量の珪藻土混合物が収納されるとともに所定量のミョウバン粉末及び第３成分１４が収容される場合がある。また、収納袋１１の内部には、所定量の珪藻土粉末が収納されるとともにミョウバン粉末に酸化亜鉛粉末と酸化銀粉末と酸化チタン粉末とのうちの少なくとも１種類を混合した所定量の混合粉末と第３成分１４とが収容される場合、珪藻土顆粒と珪藻土粉末とを混合した所定量の珪藻土混合物が収納されるとともにミョウバン粉末に酸化亜鉛粉末と酸化銀粉末と酸化チタン粉末とのうちの少なくとも１種類を混合した所定量の混合粉末と第３成分１４とが収容される場合がある。
【００４０】
図２の枕１０Ａ（クッション材）は、第１成分１２及び第２成分１３と第３成分１４である粉砕低反発弾性ウレタンフォーム（複数の塊状クッション小片１８）とが収納袋１１に収納されている。図３の枕１０Ｂ（クッション材）は、第１成分１２及び第２成分１３と第３成分１４であるスチロールビーズ（複数の合成樹脂ビーズ小片１９（小玉））とが収納袋１１に収納されている。図４の枕１０Ｃ（クッション材）は、第１成分１２及び第２成分１３と第３成分１４であるポリエチレンチューブ（複数のチューブ小片２０）とが収納袋１１に収納されている。図５の枕１０Ｄ（クッション材）は、第１成分１２及び第２成分１３と第３成分１４である複数のそば殻２１とが収納袋１１に収納されている。
【００４１】
それら枕１０Ａ〜１０Ｄでは、使用者の頭部から発散された汗（湿気）を吸収したときに、ミョウバン粉末が溶けてミョウバン水溶液に変化して収納袋１１（布袋１５）の外面に滲出し、微量のミョウバン水溶液が頭部に付着し、または、頭部が枕１０Ａに接触したときに、微量のミョウバン粉末が収納袋１１（布袋１５）の外面に漏出し、そのミョウバン粉末が頭部に付着する。
【００４２】
汗（湿気）を吸収したそれら枕１０Ａ〜１０Ｄは、それらを干すことで湿気が枕１０Ａ〜１０Ｄから外部に放出され、枕１０Ａ〜１０Ｄが乾燥する。それら枕１０Ａ〜１０Ｄは、それらを干して乾燥させることで繰り返し使用することができる。なお、複数回の使用で布袋１５が汚れた場合、布袋１５の他方の側部に取り付けられた線ファスナー１７のスライダー１６をスライドさせて布袋１５の他方の側部を開放し、布袋１５の他方の側部から収納袋１１を取り出し、収納袋１１と布袋１５とを分離して布袋１５を洗濯する。洗濯した布袋１５の他方の側部から収納袋１１を挿入し、収納袋１１を布袋１５の内部に収容した後、スライダー１６をスライドさせて布袋１５の他方の側部を閉める。それら枕１０Ａ〜１０Ｄは、布袋１５が汚れた場合、布袋１５を洗濯することで布袋１５の汚れを落とすことができるから、枕１０Ａ〜１０Ｄを清潔な状態で使用することができる。
【００４３】
それら枕１０Ａ〜１０Ｄ（クッション材）は、睡眠中に使用者の頭部から発散された汗（湿気）を枕１０Ａ〜１０Ｄが吸収し、使用者の頭部の臭気を枕１０Ａ〜１０Ｄが吸収（脱臭）するとともに、雑菌を死滅させることで、雑菌の繁殖を防ぐことができ、使用者の頭部を清潔に保つことができるとともに、使用者が安眠することができる。それら枕１０Ａ〜１０Ｄ（クッション材）は、ミョウバン水溶液やミョウバン粉末が頭皮や顔（肌）に付着することで、ミョウバンのタンパク質を引き締める収れん作用や汗を抑える制汗作用を利用することができる。
【００４４】
収納袋１１に収納された第１成分１２と第２成分１３と第３成分１４との全収納量に対する第１成分１２の収納割合は、５０％〜６５％の範囲にあり、収納袋１１に収納された第１成分１２と第２成分１３と第３成分１４との全収納量に対する第２成分１３の収納割合は、１０％〜２０％の範囲にある。収納袋１１に収納された第１成分１２と第２成分１３と第３成分１４との全収納量に対する第３成分１４の収納割合は、１５％〜３０％の範囲にある。第１成分１２の収納割合が５０％未満では、枕１０Ａ〜１０Ｄ（クッション材）の吸水性（吸放湿性）及び脱臭性が低下し、枕１０Ａ〜１０Ｄの吸水機能や脱臭機能を十分に利用することができない。第２成分１３の収納割合が１０％未満では、枕１０Ａ〜１０Ｄ（クッション材）の抗菌性や殺菌性、防菌性、収れん作用、制汗作用が低下し、枕１０Ａ〜１０Ｄの抗菌性や殺菌性、防菌性、収れん作用、制汗作用を十分に利用することができない。
【００４５】
枕１０Ａ〜１０Ｄ（クッション材）（以下のフットレスト２２（クッション材）、クッション２３（クッション材）、椅子用クッション２４（クッション材）、バスマット２５（クッション材）、玄関マット２６（クッション材）を含む）は、それに前記収納割合の第１成分１２が含まれ、それが優れた吸水性（吸放湿性）と優れた脱臭性とを有するから、水分や湿気を吸収可能な枕１０Ａ〜１０Ｄとして最適に使用することができ、臭気を吸収可能な枕１０Ａ〜１０Ｄとして最適に使用することができる。枕１０Ａ〜１０Ｄ（クッション材）（以下のフットレスト２２（クッション材）、クッション２３（クッション材）、椅子用クッション２４（クッション材）、バスマット２５（クッション材）、玄関マット２６（クッション材）を含む）は、それに前記収納割合の第２成分１３が含まれ、第２成分１３が優れた抗菌性や殺菌性、防菌性を有するから、雑菌を死滅させることができ、雑菌が繁殖することはなく、長期間衛生的に使用することができるとともに、ミョウバンの収れん作用や制汗作用を十分に利用することができる。
【００４６】
図６は、一例として示すフットレスト２２の部分破断斜視図である。フットレスト２２（クッション材）は、その形状が一方向へ長い直方体に成形され、使用者が脚部を載せる。フットレスト２２は、収納袋１１と、その収納袋１１の内部に収納された第１成分１２及び第２成分１３並びに第３成分１４である粉砕低反発弾性ウレタンフォーム（複数の塊状クッション小片１８）とから形成されている。フットレスト２２（クッション材）では、所定量の第１成分１２と所定量の第２成分１３と所定量の第３成分１４とを均一に満遍なく混合した混合物が収納袋１１に収納されている。なお、第３成分１４として、粉砕低反発弾性ウレタンフォーム（複数の塊状クッション小片１８）、そば殻２１、スチロールビーズ（合成樹脂ビーズ小片１９（小玉））、ポリエチレンチューブ（チューブ状のチューブ小片２０）、綿、羽毛のうちの少なくとも１種類が収納されていればよい。
【００４７】
フットレスト２２（クッション材）では、収納袋１１の一方の表面全体及び他方の表面全体（外表面全体）が織物または編み物製の布袋１５（収納袋１１をその内部に収容した布袋１５）に包被されている（覆われている）。布袋１５は、一方の側部と両端部とが縫製によって接合されている。布袋１５の他方の側部には、スライダー１６を備えた線ファスナー１７が取り付けられている。フットレスト２２を形成する収納袋１１や第１成分１２、第２成分１３、第３成分１４は、枕１０Ａ〜１０Ｄ（クッション材）のそれらと同一である。収納袋１１に収納された第１成分１２と第２成分１３と第３成分１４との全収納量に対する第１成分１２の収納割合や第２成分１３の収納割合、第３成分１４の収納割合は、枕１０Ａ  〜１０Ｄ（クッション材）のそれらと同一である。
【００４８】
フットレスト２２では、使用者の脚部から発散された汗（湿気）を吸収したときに、ミョウバン粉末が溶けてミョウバン水溶液に変化して収納袋１１（布袋１５）の外面に滲出し、微量のミョウバン水溶液が脚部に付着し、または、脚部がフットレスト２２に接触したときに、微量のミョウバン粉末が収納袋１１（布袋１５）の外面に漏出し、そのミョウバン粉末が脚部に付着する。
【００４９】
汗（湿気）を吸収したフットレスト２２は、それを干すことで湿気がフットレスト２２から外部に放出され、フットレスト２２が乾燥する。フットレスト２２は、それを干して乾燥させることで繰り返し使用することができる。なお、複数回の使用で布袋１５が汚れた場合、布袋１５から収納袋１１を取り出し、収納袋１１と布袋１５とを分離して布袋１５を洗濯する。布袋１５を洗濯した後、布袋１５に収納袋１１を挿入する。フットレスト２２は、布袋１５が汚れた場合、布袋１５を洗濯することで布袋１５の汚れを落とすことができるから、フットレスト２２を清潔な状態で使用することができる。
【００５０】
フットレスト２２（クッション材）は、フットレスト２２の使用中に使用者の脚部から発散された汗（湿気）をフットレスト２２が吸収し、使用者の脚部の臭気をフットレスト２２が吸収（脱臭）するとともに、雑菌を死滅させることで、雑菌の繁殖を防ぐことができ、使用者の脚部を清潔に保つことができるとともに、脚部をリラックスさせることができる。フットレスト２２（クッション材）は、ミョウバン水溶液やミョウバン粉末が脚部（肌）に付着することで、ミョウバンのタンパク質を引き締める収れん作用や汗を抑える制汗作用を利用することができる。
【００５１】
図７は、一例として示すクッション２３の部分破断斜視図である。クッション２３（クッション材）は、その形状が一方向へ長い直方体に成形され、座敷やソファ、座椅子に置かれ、使用者の頭や体を支える。クッション２３は、収納袋１１と、その収納袋１１の内部に収納された第１成分１２及び第２成分１３並びに第３成分１４である粉砕低反発弾性ウレタンフォーム（複数の塊状クッション小片１８）とから形成されている。クッション２３（クッション材）では、所定量の第１成分１２と所定量の第２成分１３と所定量の第３成分１４とを均一に満遍なく混合した混合物が収納袋１１に収納されている。なお、第３成分１４として、粉砕低反発弾性ウレタンフォーム（複数の塊状クッション小片１８）、そば殻２１、スチロールビーズ（合成樹脂ビーズ小片１９（小玉））、ポリエチレンチューブ（チューブ状のチューブ小片２０）、綿、羽毛のうちの少なくとも１種類が収納されていればよい。
【００５２】
クッション２３（クッション材）では、収納袋１１の一方の表面全体及び他方の表面全体（外表面全体）が織物または編み物製の布袋１５（収納袋１１をその内部に収容した布袋１５）に包被されている（覆われている）。布袋１５は、一方の側部と両端部とが縫製によって接合されている。布袋１５の他方の側部には、スライダー１６を備えた線ファスナー１７が取り付けられている。クッション２３を形成する収納袋１１や第１成分１２、第２成分１３、第３成分１４は、枕１０Ａ〜１０Ｄ（クッション材）のそれらと同一である。収納袋１１に収納された第１成分１２と第２成分１３と第３成分１４との全収納量に対する第１成分１２の収納割合や第２成分１３の収納割合、第３成分１４の収納割合は、枕１０Ａ〜１０Ｄ（クッション材）のそれらと同一である。
【００５３】
クッション２３では、使用者の体から発散された汗を吸収したときに、ミョウバン粉末が溶けてミョウバン水溶液に変化して収納袋１１（布袋１５）の外面に滲出し、微量のミョウバン水溶液が使用者の肌に付着し、または、体がクッションに接触したときに、微量のミョウバン粉末が収納袋１１（布袋１５）の外面に漏出し、そのミョウバン粉末が肌に付着する。
【００５４】
汗（湿気）を吸収したクッション２３は、それを干すことで湿気がクッション２３から外部に放出され、クッション２３が乾燥する。クッション２３は、それを干して乾燥させることで繰り返し使用することができる。なお、複数回の使用で布袋１５が汚れた場合、布袋１５から収納袋１１を取り出し、収納袋１１と布袋１５とを分離して布袋１５を洗濯する。布袋１５を洗濯した後、布袋１５に収納袋１１を挿入する。クッション２３は、布袋１５が汚れた場合、布袋１５を洗濯することで布袋１５の汚れを落とすことができるから、クッション２３を清潔な状態で使用することができる。
【００５５】
クッション２３（クッション材）は、クッション２３の使用中に使用者の体から発散された汗（湿気）をクッション２３が吸収し、使用者の体の臭気をクッション２３が吸収（脱臭）するとともに、雑菌を死滅させることで、雑菌の繁殖を防ぐことができ、使用者の体を清潔に保つことができるとともに、使用者の体をリラックスさせることができる。クッション２３（クッション材）は、ミョウバン水溶液やミョウバン粉末が体（肌）に付着することで、ミョウバンのタンパク質を引き締める収れん作用や汗を抑える制汗作用を利用することができる。
【００５６】
図８は、一例として示す椅子用クッション２４の部分破断斜視図である。椅子用クッション２４（クッション材）は、その形状が一方向へ長い直方体に成形され、椅子の上に置かれ、椅子に着席した使用者の体を支える。椅子用クッション２４は、収納袋１１と、その収納袋１１の内部に収納された第１成分１２及び第２成分１３並びに第３成分１４である粉砕低反発弾性ウレタンフォーム（複数の塊状クッション小片１８）とから形成されている。椅子用クッション２４（クッション材）では、所定量の第１成分１２と所定量の第２成分１２と所定量の第３成分１３とを均一に満遍なく混合した混合物が収納袋１１に収納されている。なお、第３成分１４として、粉砕低反発弾性ウレタンフォーム（複数の塊状クッション小片１８）、そば殻２１、スチロールビーズ（合成樹脂ビーズ小片１９（小玉））、ポリエチレンチューブ（チューブ状のチューブ小片２０）、綿、羽毛のうちの少なくとも１種類が収納されていればよい。
【００５７】
椅子用クッション２４（クッション材）では、収納袋１１の一方の表面全体及び他方の表面全体（外表面全体）が織物または編み物製の布袋１５（収納袋１１をその内部に収容した布袋１５）に包被されている（覆われている）。布袋１５は、一方の側部と両端部とが縫製によって接合されている。布袋１５の他方の側部には、スライダー１６を備えた線ファスナー１７が取り付けられている。椅子用クッション２４を形成する収納袋１１や第１成分１２、第２成分１３、第３成分１４は、枕１０Ａ〜１０Ｄ（クッション材）のそれらと同一である。収納袋１１に収納された第１成分１２と第２成分１３と第３成分１４との全収納量に対する第１成分１２の収納割合や第２成分１２の収納割合、第３成分１３の収納割合は、枕１０Ａ〜１０Ｄ（クッション材）のそれらと同一である。
【００５８】
汗（湿気）を吸収した椅子用クッション２４は、それを干すことで湿気が椅子用クッション２４から外部に放出され、椅子用クッション２４が乾燥する。椅子用クッション２４は、それを干して乾燥させることで繰り返し使用することができる。なお、複数回の使用で布袋１５が汚れた場合、布袋１５から収納袋１１を取り出し、収納袋１１と布袋１５とを分離して布袋１５を洗濯する。布袋１５を洗濯した後、布袋１５に収納袋１１を挿入する。椅子用クッション２４は、布袋１５が汚れた場合、布袋１５を洗濯することで布袋１５の汚れを落とすことができるから、椅子用クッション２４を清潔な状態で使用することができる。
【００５９】
椅子用クッション２４（クッション材）は、椅子用クッション２４の使用中に使用者の臀部から発散された汗（湿気）を椅子用クッション２４が吸収し、使用者の臀部の臭気を椅子用クッション２４が吸収（脱臭）するとともに、雑菌を死滅させることで、雑菌の繁殖を防ぐことができ、使用者の臀部を清潔に保つことができるとともに、使用者が快適に座ることができる。
【００６０】
図９は、一例として示すバスマット２５の部分破断斜視図である。バスマット２５（クッション材）は、その形状が一方向へ長い直方体に成形され、脱衣場の床（床面）に載置されて床に敷かれ、その上を使用者の足が位置する。バスマット２５は、収納袋１１と、その収納袋１１の内部に収納された第１成分１２及び第２成分１３並びに第３成分１４である粉砕低反発弾性ウレタンフォーム（複数の塊状クッション小片１８）とから形成されている。バスマット２５（クッション材）では、所定量の第１成分１２と所定量の第２成分１３と所定量の第３成分１４とを均一に満遍なく混合した混合物が収納袋１１に収納されている。なお、第３成分１４として、粉砕低反発弾性ウレタンフォーム（複数の塊状クッション小片１８）、そば殻２１、スチロールビーズ（合成樹脂ビーズ小片１９（小玉））、ポリエチレンチューブ（チューブ状のチューブ小片２０）、綿、羽毛のうちの少なくとも１種類が収納されていればよい。
【００６１】
バスマット２５（クッション材）では、収納袋１１の一方の表面全体及び他方の表面全体（外表面全体）が織物または編み物製の布袋１５（収納袋１１をその内部に収容した布袋１５）に包被されている（覆われている）。布袋１５は、一方の側部と両端部とが縫製によって接合されている。布袋１５の他方の側部には、スライダー１６を備えた線ファスナー１７が取り付けられている。バスマット２５を形成する収納袋１１や第１成分１２、第２成分１３、第３成分１４は、枕１０Ａ〜１０Ｄ（クッション材）のそれらと同一である。収納袋１１に収納された第１成分１２と第２成分１３と第３成分１４との全収納量に対する第１成分１２の収納割合や第２成分１３の収納割合、第３成分１４の収納割合は、枕１０Ａ〜１０Ｄ（クッション材）のそれらと同一である。
【００６２】
バスマット２５は、使用者の体から滴り落ちた水滴や足裏に付着した水分を吸収し、使用者の体から滴り落ちた水滴や足裏に付着した水分の水切りを行うことができる。バスマット２５は、使用者の体から滴り落ちた水滴や足裏に付着した水分を吸収したときに、その水滴や水分によってミョウバン粉末が溶けてミョウバン水溶液に変化して収納袋１１（布袋１５）の外面に滲出し、微量のミョウバン水溶液が使用者の足裏に付着し、または、使用者の足裏がバスマットに接触したときに、微量のミョウバン粉末が収納袋１１（布袋１５）の外面に漏出し、そのミョウバン粉末が使用者の足裏に付着する。
【００６３】
水分（湿気）を吸収したバスマット２５は、それを干すことで湿気がバスマット２５から外部に放出され、バスマット２５が乾燥する。バスマット２５は、それを干して乾燥させることで繰り返し使用することができる。なお、複数回の使用で布袋１５が汚れた場合、布袋１５から収納袋１１を取り出し、収納袋１１と布袋１５とを分離して布袋１５を洗濯する。布袋１５を洗濯した後、布袋１５に収納袋１１を挿入する。バスマット２５は、布袋１５が汚れた場合、布袋１５を洗濯することで布袋１５の汚れを落とすことができるから、バスマット２５を清潔な状態で使用することができる。
【００６４】
バスマット２５（クッション材）は、使用者の体から滴り落ちた水滴や使用者の足裏に付着した水分を素早く吸収することができ、足裏のべたつき感を迅速に除去することができる。バスマット２５（クッション材）は、それに付着した雑菌を死滅させることができ、雑菌が繁殖することはなく、使用者の足裏を清潔に保つことができるとともに、バスマット２５を長期間衛生的に使用することができる。バスマット２５（クッション材）は、ミョウバン水溶液やミョウバン粉末が足裏（肌）に付着することで、ミョウバンのタンパク質を引き締める収れん作用や汗を抑える制汗作用を利用することができる。
【００６５】
図１０は、一例として示す玄関マット２６の部分破断斜視図である。玄関マット（クッション材）は、その形状が一方向へ長い直方体に成形され、玄関の床（床面）に載置されて玄関に敷かれ、その上を使用者の足が位置する。玄関マット２６は、収納袋１１と、その収納袋１１の内部に収納された第１成分１２及び第２成分１３並びに第３成分１４である粉砕低反発弾性ウレタンフォーム（複数の塊状クッション小片１８）とから形成されている。玄関マット２６（クッション材）では、所定量の第１成分１２と所定量の第２成分１３と所定量の第３成分１４とを均一に満遍なく混合した混合物が収納袋１１に収納されている。なお、第３成分１４として、粉砕低反発弾性ウレタンフォーム（複数の塊状クッション小片１８）、そば殻２１、スチロールビーズ（合成樹脂ビーズ小片１９（小玉））、ポリエチレンチューブ（チューブ状のチューブ小片２０）、綿、羽毛のうちの少なくとも１種類が収納されていればよい。
【００６６】
玄関マット２６（クッション材）では、収納袋１１の一方の表面全体及び他方の表面全体（外表面全体）が織物または編み物製の布袋１５（収納袋１１をその内部に収容した布袋１５）に包被されている（覆われている）。布袋１５は、一方の側部と両端部とが縫製によって接合されている。布袋１５の他方の側部には、スライダー１６を備えた線ファスナー１７が取り付けられている。玄関マット２６を形成する収納袋１１や第１成分１２、第２成分１３、第３成分１４は、枕１０Ａ〜１０Ｄ（クッション材）のそれらと同一である。収納袋１１に収納された第１成分１２と第２成分１３と第３成分１４との全収納量に対する第１成分１２の収納割合や第２成分１３の収納割合、第３成分１４の収納割合は、枕１０Ａ〜１０Ｄ（クッション材）のそれらと同一である。
【００６７】
玄関マット２６は、使用者の足裏に付着した水分や足裏から発生する水蒸気を吸収する。玄関マット２６は、使用者の足裏に付着した水分を吸収したときに、その水分によってミョウバン粉末が溶けてミョウバン水溶液に変化して収納袋１１（布袋１５）の外面に滲出し、微量のミョウバン水溶液が使用者の足裏に付着し、または、使用者の足裏がバスマットに接触したときに、微量のミョウバン粉末が収納袋１１（布袋１５）の外面に漏出し、そのミョウバン粉末が使用者の足裏に付着する。
【００６８】
玄関マット２６（クッション材）は、使用者の足裏に付着した水分を素早く吸収することができ、足裏のべたつき感を迅速に除去することができる。玄関マット２６（クッション材）は、それに付着した雑菌を死滅させることができ、雑菌が繁殖することはなく、使用者の足裏を清潔に保つことができるとともに、玄関マット２５を長期間衛生的に使用することができる。玄関マット２５（クッション材）は、ミョウバン水溶液やミョウバン粉末が足裏（肌）に付着することで、ミョウバンのタンパク質を引き締める収れん作用や汗を抑える制汗作用を利用することができる。
【００６９】
枕１０Ａ〜１０Ｄ（クッション材）やフットレスト２２（クッション材）、クッション２３（クッション材）、椅子用クッション２４（クッション材）、バスマット２５（クッション材）、玄関マット２６（クッション材）は、それらが珪藻土を粒状に粉砕した吸水性及び脱臭性を有する珪藻土顆粒と珪藻土を粉状に粉砕した吸水性及び脱臭性を有する珪藻土粉末とのうちの少なくとも一方からなる第１成分１２と、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分１３と、粉砕低反発弾性ウレタンフォーム（複数の塊状クッション小片１８）とそば殻２１とスチロールビーズ（合成樹脂ビーズ小片１９（小玉））とポリエチレンチューブ（チューブ状のチューブ小片２０）と綿と羽毛とのうちの少なくとも１種類からなる第３成分１４と、通気性、透湿性、透水性、柔軟性を有して所定量の第１成分１２と所定量の第２成分１３と所定量の第３成分１４とを混合した状態で収納した収納袋１１とから形成されているから、柔軟性を有し、衝撃が加えられたとしても、その衝撃に対して自由に変形することができ、衝撃に対する破損を防ぐことができる。
【００７０】
枕１０Ａ〜１０Ｄ（クッション材）やフットレスト２２（クッション材）、クッション２３（クッション材）、椅子用クッション２４（クッション材）、バスマット２５（クッション材）、玄関マット２６（クッション材）は、第１成分１２及び第２成分１３並びに第３成分１４を収納した収納袋１１が柔軟性を有するから、それらの感触が柔らかく、良好な肌触りを有し、使用者に不快な感触を与えることがない。
【００７１】
枕１０Ａ〜１０Ｄ（クッション材）やフットレスト２２（クッション材）、クッション２３（クッション材）、椅子用クッション２４（クッション材）、バスマット２５（クッション材）、玄関マット２６（クッション材）は、吸水性及び脱臭性を有する珪藻土顆粒と吸水性及び脱臭性を有する珪藻土粉末とのうちの少なくとも一方からなる第１成分１２を含み、脱臭性及び殺菌性を有するミョウバン粉末と殺菌性を有する酸化亜鉛粉末と殺菌性を有する酸化銀粉末と殺菌性を有する酸化チタン粉末とのうちの少なくともミョウバン粉末からなる第２成分１３を含むから、優れた吸水性と優れた脱臭性と優れた殺菌性とを有し、水分や湿気を吸収しつつ臭気を吸収（脱臭）するクッション材として最適に使用することができるとともに、雑菌を死滅させることができ、雑菌が繁殖することはなく、長期間衛生的に使用することができる。
【００７２】
枕１０Ａ〜１０Ｄ（クッション材）やフットレスト２２（クッション材）、クッション２３（クッション材）、椅子用クッション２４（クッション材）、バスマット２５（クッション材）、玄関マット２６（クッション材）は、珪藻土顆粒と珪藻土粉末とのうちの少なくとも一方からなる第１成分１２と、ミョウバン粉末と酸化亜鉛粉末と酸化銀粉末と酸化チタン粉末とのうちの少なくともミョウバン粉末からなる第２成分１３と、粉砕低反発弾性ウレタンフォーム（複数の塊状クッション小片１８）とそば殻２１とスチロールビーズ（合成樹脂ビーズ小片１９（小玉））とポリエチレンチューブ（チューブ状のチューブ小片２０）と綿と羽毛とのうちの少なくとも１種類からなる第３成分１４とを収納袋１１に収納することで作ることができるから、その製造に手間と時間とを要せず、容易に製造することができる。
【００７３】
図１１は、他の一例として示す枕１０Ｅの部分破断斜視図である。この枕１０Ｅが図２〜図５の枕１０Ａ〜１０Ｄと異なるところは、第１成分１２と第２成分１３とが通気性、透湿性、透水性、柔軟性を有する複数の小袋２７に収納された状態で収納袋１１に収納されている点にある。収納袋１１や第１成分１２、第２成分１３、第３成分１４は、図２〜図５の枕１０Ａ〜１０Ｄ（クッション材）のそれらと同一である。収納袋１１に収納された第１成分１２と第２成分１３と第３成分１４との全収納量に対する第１成分１２の収納割合や第２成分１２の収納割合、第３成分１３の収納割合は、図２〜図５の枕１０Ａ〜１０Ｄ（クッション材）のそれらと同一である。
【００７４】
図１１に示す枕１０Ｅは、図２〜図５の枕１０Ａ〜１０Ｄが有する効果に加え、以下の効果を有する。この枕１０Ｅ（クッション材）は、収納袋１１が何らかの原因で破損したとして、第１成分１２や第２成分１３が小袋２７に収納されているから、第１成分１２や第２成分１３が散乱することはなく、第１成分１２や第２成分１２の不用意な漏出を防ぐことができる。
【００７５】
なお、枕１０Ｅでは、第３成分１４として、粉砕低反発弾性ウレタンフォーム（複数の塊状クッション小片１８）、そば殻２１、スチロールビーズ（合成樹脂ビーズ小片１９（小玉））、ポリエチレンチューブ（チューブ状のチューブ小片２０）、綿、羽毛のうちの少なくとも１種類が収納されていればよい。また、フットレスト２２（クッション材）、クッション２３（クッション材）、椅子用クッション２４（クッション材）、バスマット２５（クッション材）、玄関マット２６（クッション材）において、第１成分１２と第２成分１３とが通気性、透湿性、透水性、柔軟性を有する複数の小袋２７に収納された状態で収納袋１１に収納されていてもよい。
【００７６】
図１２は、他の一例として示す枕１０Ｆの部分破断斜視図であり、図１３は、他の一例として示す枕１０Ｇの部分破断斜視図である。図１２に示す枕１０Ｆ（クッション材）は、通気性、透湿性、透水性、柔軟性を有する収納袋１１と複数の塊状クッション小片１８とそば殻２１とから形成され、その形状が一方向へ長い直方体に成形されている。枕１０Ｆでは、複数（所定量）の塊状クッション小片１８と所定量のそば殻２１とが収納袋１１に収納されている。枕１０Ｆでは、収納袋１１の一方の表面全体及び他方の表面全体（外表面全体）が織物または編み物製の布袋１５（収納袋１１をその内部に収容した布袋１５）に包被されている（覆われている）。収納袋１１や布袋１５は、図２〜図５の枕１０Ａ〜１０Ｄ（クッション材）のそれらと同一である。
【００７７】
枕１０Ｆを形成する塊状クッション小片１８は、ポリオール成分およびポリイソシアネート成分を混合したポリウレタンに吸水性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームから作られている。なお、フットレスト２２（クッション材）、クッション２３（クッション材）、椅子用クッション２４（クッション材）、バスマット２５（クッション材）、玄関マット２６（クッション材）が図１２の枕１０Ｆ（クッション材）と同様の素材から作られていてもよい。
【００７８】
図１３に示す枕１０Ｇ（クッション材）は、通気性、透湿性、透水性、柔軟性を有する収納袋１１と複数の合成樹脂チューブ小片２０と綿２８とから形成され、その形状が一方向へ長い直方体に成形されている。枕１０Ｇでは、複数（所定量）の合成樹脂チューブ小片２０と所定量の綿２８とが収納袋１１に収納されている。枕１０Ｇでは、収納袋１１の一方の表面全体及び他方の表面全体（外表面全体）が織物または編み物製の布袋１５（収納袋１１をその内部に収容した布袋１５）に包被されている（覆われている）。収納袋１１や布袋１５は、図２〜図５の枕１０Ａ〜１０Ｄ（クッション材）のそれらと同一である。枕１０Ｇを形成する合成樹脂チューブ小片２０は、合成樹脂に珪藻土粉末とミョウバン粉末と酸化亜鉛粉末とを混練した合成樹脂混合物をチューブ状に成形することで作られている。なお、フットレスト２２（クッション材）、クッション２３（クッション材）、椅子用クッション２４（クッション材）、バスマット２５（クッション材）、玄関マット２６（クッション材）が図１３の枕１０Ｇ（クッション材）と同様の素材から作られていてもよい。
【００７９】
枕１０Ｆ，１０Ｇ（クッション材）やフットレスト２２（クッション材）、クッション２３（クッション材）、椅子用クッション２４（クッション材）、バスマット２５（クッション材）、玄関マット２６（クッション材）では、複数の塊状クッション小片１８と、複数の合成樹脂チューブ小片２０と、合成樹脂に珪藻土粉末とミョウバン粉末と酸化亜鉛粉末とを混練した合成樹脂混合物をビーズ状に成形した複数のビーズ状の合成樹脂ビーズ小片１９（小玉）とのうちの少なくとも１種類が収納袋１１に収納されていればよい。または、複数の塊状クッション小片１８と複数の合成樹脂チューブ小片２０と複数のビーズ状の合成樹脂ビーズ小片１９（小玉）とのうちの少なくとも１種類が収納袋１１に収納されているとともに、そば殻２１と綿２８と羽毛とのうちの少なくとも１種類が収納袋１１に収納されていればよい。
【００８０】
なお、塊状クッション小片１８は、ポリウレタンに珪藻土粉末を混練して発泡させた低反発弾性ウレタンフォームと、ポリウレタンにミョウバン粉末を混練して発泡させた低反発弾性ウレタンフォームと、ポリウレタンに酸化亜鉛粉末を混練して発泡させた低反発弾性ウレタンフォームとから形成されていてもよい。合成樹脂チューブ小片２０は、合成樹脂に珪藻土粉末を混練した合成樹脂混合物と、合成樹脂にミョウバン粉末を混練した合成樹脂混合物と、合成樹脂に酸化亜鉛粉末を混練した合成樹脂混合物とから形成されていてもよい。合成樹脂ビーズ小片１９（小玉）は、合成樹脂に珪藻土粉末を混練した合成樹脂混合物と、合成樹脂にミョウバン粉末を混練した合成樹脂混合物と、合成樹脂に酸化亜鉛粉末を混練した合成樹脂混合物とから形成されていてもよい。
【００８１】
枕１０Ｆ，１０Ｇ（クッション材）やフットレスト２２（クッション材）、クッション２３（クッション材）、椅子用クッション２４（クッション材）、バスマット２５（クッション材）、玄関マット２６（クッション材）は、それらがポリオール成分およびポリイソシアネート成分を混合したポリウレタンに吸水性及び脱臭性を有する珪藻土を粉状に粉砕した珪藻土粉末と脱臭性及び殺菌性を有するミョウバン粉末と殺菌性を有する酸化亜鉛粉末とを混練して発泡させた低反発弾性ウレタンフォームからなる複数の塊状クッション小片１８と、合成樹脂に珪藻土粉末とミョウバン粉末と酸化亜鉛粉末とを混練した合成樹脂混合物をチューブ状に成形した複数の合成樹脂チューブ小片２０と、合成樹脂に珪藻土粉末とミョウバン粉末と酸化亜鉛粉末とを混練した合成樹脂混合物をビーズ状に成形した複数のビーズ状の合成樹脂ビーズ小片１９（小玉）とのうちの少なくとも１種類と、通気性、透湿性、透水性、柔軟性を有してそれらのうちの１種類を収納した収納袋１１とから形成されているから、柔軟性を有し、衝撃が加えられたとしても、その衝撃に対して自由に変形することができ、衝撃に対する破損を防ぐことができる。
【００８２】
枕１０Ｆ，１０Ｇ（クッション材）やフットレスト２２（クッション材）、クッション２３（クッション材）、椅子用クッション２４（クッション材）、バスマット２５（クッション材）、玄関マット２６（クッション材）は、塊状クッション小片１８や合成樹脂チューブ小片２０、ビーズ状の合成樹脂ビーズ小片１９（小玉）のうちの少なくとも１種類を収納した収納袋１１が柔軟性を有するから、クッション材として感触が柔らかく、良好な肌触りを有し、使用者に不快な感触を与えることがない。なお、そば殻２１と綿２７と羽毛とのうちの少なくとも１種類が収納袋１１に収納されている場合、クッション材としてのクッション性が向上し、使用者に不快な感触を与えることがなく、クッション材として最適に使用することができる。
【００８３】
枕１０Ｆ，１０Ｇ（クッション材）やフットレスト２２（クッション材）、クッション２３（クッション材）、椅子用クッション２４（クッション材）、バスマット２５（クッション材）、玄関マット２６（クッション材）は、塊状クッション小片１８や合成樹脂チューブ小片２０、ビーズ状の合成樹脂ビーズ小片１９（小玉）が吸水性及び脱臭性を有する珪藻土粉末と脱臭性及び殺菌性を有するミョウバン粉末と殺菌性を有する酸化亜鉛粉末とを含むから、優れた吸水性と優れた脱臭性と優れた殺菌性とを有し、水分や湿気を吸収しつつ臭気を吸収（脱臭）するクッション材として最適に使用することができるとともに、雑菌を死滅させることができ、雑菌が繁殖することはなく、長期間衛生的に使用することができる。
【００８４】
枕１０Ｆ，１０Ｇ（クッション材）やフットレスト２２（クッション材）、クッション２３（クッション材）、椅子用クッション２４（クッション材）、バスマット２５（クッション材）、玄関マット２６（クッション材）は、塊状クッション小片１８や合成樹脂チューブ小片２０、ビーズ状の合成樹脂ビーズ小片１９（小玉）のうちの少なくとも１種類を収納袋１１に収納することで作ることができるから、その製造に手間と時間とを要せず、容易に製造することができる。
【００８５】
枕１０Ｆ，１０Ｇ（クッション材）やフットレスト２２（クッション材）、クッション２３（クッション材）、椅子用クッション２４（クッション材）、バスマット２５（クッション材）、玄関マット２６（クッション材）は、塊状クッション小片１８がポリウレタンに珪藻土粉末を混練して発泡させた低反発弾性ウレタンフォームとポリウレタンにミョウバン粉末を混練して発泡させた低反発弾性ウレタンフォームとポリウレタンに酸化亜鉛粉末を混練して発泡させた低反発弾性ウレタンフォームとから形成され、合成樹脂チューブ小片２０が合成樹脂に珪藻土粉末を混練した合成樹脂混合物と合成樹脂にミョウバン粉末を混練した合成樹脂混合物と合成樹脂に酸化亜鉛粉末を混練した合成樹脂混合物とから形成され、ビーズ状の合成樹脂ビーズ小片１９（小玉）が合成樹脂に珪藻土粉末を混練した合成樹脂混合物と合成樹脂にミョウバン粉末を混練した合成樹脂混合物と合成樹脂に酸化亜鉛粉末を混練した合成樹脂混合物とから形成されている場合、塊状クッション小片１８や合成樹脂チューブ小片２９、ビーズ状の合成樹脂ビーズ小片１９（小玉）が吸水性及び脱臭性を有する珪藻土粉末と脱臭性及び殺菌性を有するミョウバン粉末と殺菌性を有する酸化亜鉛粉末とを含むから、優れた吸水性と優れた脱臭性と優れた殺菌性とを有し、水分や湿気を吸収しつつ臭気を吸収（脱臭）するクッション材として最適に使用することができるとともに、雑菌を死滅させることができ、雑菌が繁殖することはなく、長期間衛生的に使用することができる。
【００８６】
以下、本発明の別の実施形態について述べる。この別の実施形態に係るクッション材は、通気性および透水性を有する収納袋に、少なくとも吸湿吸水材および抗菌消臭材が収容されたクッション材であって、吸湿吸水材が、夫々粉末状または顆粒状に形成された珪藻土、シリカゲル、ケイ酸カルシウム、エアロゲルのうち少なくとも一つからなり、抗菌消臭材が、夫々粉末状または顆粒状に形成されたミョウバン、重曹、水酸化カルシウム、金属マグネシウム、酸化亜鉛、酸化銀、酸化チタン、ヨードのうち少なくとも一つからなる、ことを特徴とするクッション材である。
【００８７】
別の実施形態に係るクッション材において、通気性および透水性を有する収納袋には、上述した各実施形態の枕１０Ａ〜１０Ｆ、フットレスト２２、クッション２３、椅子用クッション２４、バスマット２５、玄関マット２６の収納袋１１と同様のものが用いられる。
【００８８】
別の実施形態に係るクッション材において、吸湿吸水材としての粉末状または顆粒状に形成された珪藻土には、上述した各実施形態の第１成分１２の珪藻土粉末または珪藻土顆粒と同様のものが用いられる。また、吸湿吸水材には、珪藻土粉末、珪藻土顆粒の他、シリカゲル粉末、シリカゲル顆粒、ケイ酸カルシウム粉末、ケイ酸カルシウム顆粒、エアロゲル粉末、エアロゲル顆粒を用いてもよい。吸湿吸水材には、各材質の粉末または顆粒を単独で用いてもよく、複数種類の粉末または顆粒が混合されたものを用いてもよい。なお、エアロゲルには親水性のものが用いられる。
【００８９】
別の実施形態に係るクッション材において、抗菌消臭材としての粉末状または顆粒状に形成されたミョウバン、酸化亜鉛、酸化銀、酸化チタンには、上述した各実施形態の第２成分１３のミョウバン粉末、酸化亜鉛粉末、酸化銀粉末、酸化チタン粉末が用いられる。なお、これらは顆粒状となっていてもよい。また、抗菌消臭材には、これらの材質の他、重曹、水酸化カルシウム、金属マグネシウム、ヨードを夫々粉末状または顆粒状としたものを、少なくとも一つ用いてもよい。これらの材質は、抗菌性、殺菌性、防菌性、消臭性を有する。
【００９０】
別の実施形態に係るクッション材において、収納袋には、更に緩衝材が収容されていてもよい。緩衝材には、ウレタンフォーム、そば殻、スチロールビーズ、ポリエチレンチューブ、綿、羽毛のうち少なくとも一つが用いられる。これらのウレタンフォーム、そば殻、スチロールビーズ、ポリエチレンチューブ、綿、羽毛には、上述した各実施形態の第３成分１４の低反発弾性ウレタンフォーム、そば殻、スチロールビーズ、ポリエチレンチューブ、綿、羽毛と同様のものが用いられる。なお、ウレタンフォーム（低反発弾性ウレタンフォーム）には、粉砕されたもの、粒状のものを用いてもよい。
【００９１】
かかる緩衝材は、クッションとしての緩衝機能の他、収納袋１１の内部において、吸湿吸水材および抗菌消臭材の反応面積を稼いで吸湿吸水性能および抗菌消臭性能を向上させる機能も発揮する。すなわち、収納袋１１に、上述したように、吸湿吸水材および抗菌消臭材に加えて緩衝材を追加することで、各緩衝材の表面に粉末状の吸湿吸水材および抗菌消臭材が付着すると共に、各緩衝材同士の間に粉末状の吸湿吸水材および抗菌消臭材が分布することになるため、緩衝材が無く粉末状の吸湿吸水材および抗菌消臭材が寄せ固まった状態と比べると吸湿吸水材および抗菌消臭材の反応面積が拡大し、吸湿吸水性能および抗菌消臭性能が向上する。
【００９２】
変形実施形態に係るクッション材は、枕１０Ａ〜１０Ｆ、フットレスト２２、クッション２３、椅子用クッション２４、床に敷かれるバスマット２５、玄関に敷かれる玄関マット２６、洗濯機の洗濯槽に収容される洗濯機用除湿消臭体のうちのいずれかとして使用される。洗濯機用除湿消臭体は、洗濯後、洗濯槽に変形実施形態に係る構造のクッション材を除湿消臭体として入れ、洗濯槽の除湿および消臭を図るものである。かかる使用時に、洗濯槽の蓋は開けていても閉めていてもよい。なお、洗濯機用除湿消臭体の場合、収納袋には、除湿機能を発揮する珪藻土、シリカゲルの他、消臭機能を強化するためにミョウバン、重曹を収容することが好ましい。
【符号の説明】
【００９３】
１０Ａ〜１０Ｇ  枕（クッション材）
１１    収納袋
１２    第１成分
１３    第２成分
１４    第３成分
１５    布袋
１６    スライダー
１７    線ファスナー
１８    塊状クッション小片
１９    合成樹脂ビーズ小片（小玉）
２０    チューブ小片
２１    そば殻
２２    フットレスト
２３    クッション
２４    椅子用クッション
２５    バスマット
２６    玄関マット
２７    小袋
２８    綿
【図１】
2020006154.tif 000003
【図２】
2020006154.tif 000004
【図３】
2020006154.tif 000005
【図４】
2020006154.tif 000006
【図５】
2020006154.tif 000007
【図６】
2020006154.tif 000008
【図７】
2020006154.tif 000009
【図８】
2020006154.tif 000010
【図９】
2020006154.tif 000011
【図１０】
2020006154.tif 000012
【図１１】
2020006154.tif 000013
【図１２】
2020006154.tif 000014
【図１３】
2020006154.tif 000015